(57)【特許請求の範囲】
【請求項１】
畜舎内の温度に応じて複数の送風機のＯＮ／ＯＦＦを選択信号で制御する主制御装置からの前記選択信号を受けて、前記複数の送風機を制御する付加送風制御装置であって、
前記主制御装置の前記選択信号を受信する受信部と、
前記選択信号の内容に応じて、前記複数の送風機から駆動させる送風機を選択し、前記主制御装置が必要として指示した送風機の総数がもたらす全送風量と同じ送風量であっても前記指示された送風機の台数よりも多い台数でその送風を行うことができるように、前記主制御装置が必要として指示した送風機の総数よりも多くの送風機を選択し、前記選択された送風機へ送るインバータ電力を決める制御変換部と、
前記複数の送風機とそれぞれ接続され、前記制御変換部が選択した前記送風機に対して、商用電力を指定されたインバータ電力に変換して送信するインバータ部を含むインバータ駆動部を有することを特徴とする付加送風制御装置。
【請求項２】
前記制御変換部は、
前記選択信号と、
前記駆動させる送風機及び前記駆動させる送風機へ供給するインバータ電力の、
制御変換テーブルを有することを特徴とする請求項１に記載された付加送風制御装置。
【請求項３】
前記インバータ駆動部は、前記インバータ部の出力異常を検知できる故障診断器を有し、
前記制御変換部は、前記出力異常が発生した際に、他の送風機を選択することを特徴とする請求項１または２のいずれか１の請求項に記載された付加送風制御装置。
【請求項４】
前記故障診断器が出力異常を検知した際に、
前記制御変換部が他の前記送風機を選択できなかった時には、
前記制御変換部は、前記受信部が受信した前記選択信号が選択した前記送風機と同じ送風機を選択し、
前記インバータ駆動部は、前記選択された送風機に前記商用電力をそのまま送信することを特徴とする請求項３に記載された付加送風制御装置。 
【発明の詳細な説明】
【技術分野】
【０００１】
本発明は、鶏舎を初め、牛舎や豚舎に利用される送風制御器に付加することで、より細かい送風制御が可能になる付加送風制御装置に関するものである。
【背景技術】
【０００２】
家畜の生産を目的として使用される畜舎は、害虫や病原菌の侵入を防止できるという観点から密閉型の物がよい。しかし、密閉型の畜舎は内部の環境管理、特に温度管理が容易ではない。特に高温環境は、牛、豚、鶏ともに、耐性が高いとはいえず、高温環境を抑制することは重用な管理項目となる。その中でも、出荷直前の大雛は高温に弱い。したがって、鶏舎内をできるだけ均一に維持することが必要となる。
【０００３】
鶏舎を初めとして畜舎は床面が長方形をした建物の短辺上に延設された短辺壁に送風機を配置して畜舎内に送風状態を生じさせるものがある。短辺壁に送風機を設けることにより、トンネル送風を畜舎内に生じさせることで、少ない電力で均一風を発生させるためである。
【０００４】
特許文献１には、短辺壁に送風機を配置して畜舎内に均一風を生じさせようとする発明が開示されている。ここでは、畜舎内の温度に基づいて短辺壁に設けられた送風機の内、どの送風機を駆動させるかを制御装置が判断する。制御装置に指定された送風機が定格運転（１００％運転）を行うことで、風量調節を行う。
【先行技術文献】
【特許文献】
【０００５】
【特許文献１】特開２００７−２０５６５０号公報
【発明の概要】
【発明が解決しようとする課題】
【０００６】
特許文献１のような送風制御システムは、すでに多く使用されている。しかし、送風機をＯＮ／ＯＦＦ制御するだけの送風制御システムであるので、どの送風量においても畜舎内に均一な送風状態を生じさせることができるというわけではない。
【０００７】
送風制御システムをすべて交換することで、畜舎内をより均一風が流れることができるようにすることは可能である。しかし、送風制御システムをすべて交換するには、コストがかかるという課題がある。
【課題を解決するための手段】
【０００８】
本発明は上記課題に鑑みて、想到されたものである。すなわち、本件発明に係る付加送風制御装置は、既存の送風制御システムに付加することで、どの送風条件であっても、より均一な送風状態を畜舎内に生み出すことができる。
【０００９】
より具体的に本発明に係る付加送風制御装置は、
畜舎内の温度に応じて複数の送風機のＯＮ／ＯＦＦを選択信号で制御する主制御装置からの前記選択信号を受けて、前記複数の送風機を制御する付加送風制御装置であって、
前記主制御装置の前記選択信号を受信する受信部と、
前記選択信号の内容に応じて、前記複数の送風機から駆動させる送風機を選択し、前記主制御装置が必要として指示した送風機の総数がもたらす全送風量と同じ送風量であっても前記指示された送風機の台数よりも多い台数でその送風を行うことができるように、前記主制御装置が必要として指示した送風機の総数よりも多くの送風機を選択し、前記選択された送風機へ送るインバータ電力を決める制御変換部と、
前記複数の送風機とそれぞれ接続され、前記制御変換部が選択した前記送風機に対して商用電力を指定されたインバータ電力に変換して送信するインバータ部を含むインバータ駆動部を有することを特徴とする。 
【発明の効果】
【００１０】
本発明に係る付加送風制御装置は、主制御装置が行うＯＮ／ＯＦＦ制御に対して送風機をインバータ電力で制御するので、送風機の定格以下での運転状態を可能にしている。したがって、主制御装置が必要として指示した送風機の総数がもたらす全送風量と同じ送風量であっても、指示された送風機の台数よりも多い台数でその送風を行うことができる。つまり、同じ送風量を得るのに、多くの送風機を使うことができる。したがって、より均一な送風状態を生み出すことができる。これは特に送風量が少ない場合において、送風状態の均一性に顕著な差がある。 
【００１１】
一方、インバータ電力で送風機を制御するので、商用電力より低い周波数で送風機を制御する。したがって、商用電力を使用する場合よりも、少ない電力で同様の均一風を得ることができる。
【００１２】
また、既存の送風制御システムに付加するだけでよいので、導入に際して行う初期投資を少なくすることができる。
【図面の簡単な説明】
【００１３】
【図１】本発明に係る畜舎（鶏舎）の外観および平面図である。
【図２】付加送風制御装置の構成を示す図である。
【図３】主制御装置の制御テーブルを示す図である。
【図４】制御変換テーブルの一例を示す図である。
【図５】送風機の配置を示す図である。
【図６】付加送風制御装置を使用した場合と使用しない場合の違いを示す図である。
【図７】補助制御変換テーブルの一例を示す図である。
【発明を実施するための形態】
【００１４】
以下に本発明に係る付加送風制御装置について図面を参照しながら説明を行う。なお、以下の説明は本発明に係る付加送風制御装置の一実施形態の説明であり、これに限定されるものではない。本発明の趣旨を逸脱しない限りにおいて、以下の実施形態は変更することができる。なお、以下の説明においては、畜舎を鶏舎として説明を行う。しかし、本発明の畜舎は特に鶏舎に限定されるものはなく、牛舎、豚舎にも適用することができる。
【００１５】
図１に本発明に係る付加送風制御装置１０が用いられる環境を示す。図１（ａ）は、鶏舎９０の外観図であり、図１（ｂ）は、鶏舎９０の平面図および結線図を合わせた図である。付加送風制御装置１０は、床面形状が縦長をした鶏舎９０に好適に利用できる。鶏舎９０は、長方形をした床面９１と、床面９１の長辺上に床面９１から垂直に延設された長側壁９２と、床面９１の短辺上に床面９１から垂直に延設された短側壁９３と、長側壁９２および短側壁９３で形成される上部開放端に設けられた屋根９４を含む。
【００１６】
一方の短側壁９３ａには、送風機７０が複数個設けられる。ここでは、１０台の送風機７０が設置されている状態を例示する。もちろん、送風機７０は複数個であれば数に制限はない。また、送風機７０が設置された短側壁９３から離れた位置の長側壁９２にも送風機７０が設けられている。鶏舎９０中の送風状態を均一にするためである。また、長側壁９２には跳ね戸７２が設けられていてもよい。さらに、屋根９４にはインレット７４が複数個設けられていてもよい。
【００１７】
図１（ｂ）を参照して、鶏舎９０には、内部の温度を測定する温度計８２と、鶏舎９０内および鶏舎外の圧力差を計測できる差圧計８４が少なくとも設けられている。なお、差圧計８４は、鶏舎９０の内外の圧力を検知するために設置されるので、鶏舎９０の内外にそれぞれ圧力計を設置し、それらの計測値から差圧を求めてもよい。
【００１８】
鶏舎９０には、送風機７０を駆動するために外部から商用電力が流れる電線８５が引かれる。また、自家発電機を有していてもよい。したがって、本明細書では商用電力は、公的に供給される商用電力と、自家発電機が発生した電力を含む。
【００１９】
また、鶏舎９０には、主制御装置８０が備えられている。主制御装置８０は温度計８２からの信号を受け取り、送風機７０を回転させる。鶏舎９０内を鶏類が成長しやすい温度に維持するためである。主制御装置８０は、鶏舎９０内温度が上がるに従って、駆動する送風機７０の台数を増やすように制御する。なお、図１では、主制御装置８０は商用電力を搬送する電線８５に接続したスイッチャー８６を制御するように示した。スイッチャー８６は、個々の送風機７０と接続されている。もちろん、主制御装置８０が個々の送風機７０の始動スイッチを個別に制御するようにしてもよい。
【００２０】
本発明に係る付加送風制御装置１０がなければ、主制御装置８０は、鶏舎９０内温度に応じて回転する送風機７０の台数を単に増やすだけの制御を行う。すなわち、主制御装置８０は、鶏舎９０内温度に対応して駆動する送風機７０に駆動するためのＯＮ信号を送信する。ＯＮ信号が送信された送風機７０は商用電力を用いて駆動する。なお、このＯＮ信号は、主制御装置８０が駆動する送風機７０を選択した信号であるので、選択信号Ｃｓである。
【００２１】
本発明に係る付加送風制御装置１０は、主制御装置８０と送風機７０との間に設置される。図１では、スイッチャー８６と置き換わるといってもよい。そして、主制御装置８０ら出力する選択信号Ｃｓを受け、送風機７０をより細かく制御する。いわば、主制御装置８０の送風機７０の制御を、より細かい制御に変換する。
【００２２】
図２には、付加送風制御装置１０の構成を示す。付加送風制御装置１０は、受信部１２と、制御変換部１４と、インバータ駆動部１６を含む。受信部１２は、主制御装置８０の出力する選択信号Ｃｓが通過する通信線８１と接続されている。この通信線８１は、主制御装置８０が制御しようとする複数の送風機７０毎に用意されていてもよい。また、各送風機７０がアドレス設定されていて、アドレス指定を受けた後ＯＮ／ＯＦＦの指示を受けるような場合は、単線であってもよい。受信部１２は、主制御装置８０からの通信プロトコルに応じた受信が可能になるように構成される。
【００２３】
制御変換部１４は、主制御装置８０からの選択信号Ｃｓを受けて、どの送風機７０をどれくらいの送風量で運転するかを決定する。この決定は、基本となる計算式に基づいて行ってもよいが、予め制御変換テーブル３０を用意しておき、これを用いるのが好ましい。鶏舎９０の形状は様々であり、また用いる送風機７０の種類も各種メーカー品が存在する。したがって、鶏舎９０毎にどのような制御にすればよいかというのは、予めシミュレーション等で確認し、その結果に基づいて細かい制御を行うのが好適であるからである。
【００２４】
制御変換部１４は、ＭＰＵ（Ｍｉｃｒｏ  Ｐｒｏｃｅｓｓｏｒ  Ｕｎｉｔ）とメモリからなるコンピュータで構成される。またハードディスクドライブなどの二次記憶装置を有していてもよい。なお、このような構成以外であってもよい。メモリ中には、付加送風制御装置１０の処理を制御するプログラムおよび制御変換テーブル３０が保持されている。これらのプログラムおよび制御変換テーブル３０は、二次記憶装置中に保持されており、付加送風制御装置１０が稼働する時にだけメモリ上にロードされるようにしてもよい。したがって、制御変換部１４は制御変換テーブル３０を保持していると言える。
【００２５】
制御変換部１４は、受信部１２が受信した主制御装置８０からの選択信号Ｃｓを、制御変換テーブル３０に照らし合わせ、新たな制御信号を生成する。この新たな制御信号を「変換された制御信号Ｃｍｓ」と呼ぶ。変換された制御信号Ｃｍｓは、後述するインバータ駆動部１６の演算回路２４に送られる。
【００２６】
インバータ駆動部１６は、鶏舎９０に備えられた複数の送風機７０の動作をそれぞれ独立に制御する。より詳細には、それぞれの送風機７０に送信する駆動電力を制御する。特に、送風機７０の回転数をインバータ制御することで、その送風機７０の送風量を制御する。
【００２７】
インバータ駆動部１６は、制御する送風機７０に対応する数のインバータ部１８を有する。インバータ部１８は、商用電力を平滑化するコンバータ回路２０と、所定の周波数の電力（インバータ電力）を出力するインバータ回路２２と、インバータ回路２２を所定の周波数に駆動する演算回路２４を含む。各インバータ部１８は、制御変換部１４からの変換された制御信号Ｃｍｓを受け、指定されたインバータ電力を出力するといってよい。なお、インバータ駆動部１６は、商用電力を送電する電線８５を引き込む。電線８５は、各インバータ部１８に分配される。
【００２８】
また、各インバータ部１８は、故障診断器２６を有する。故障診断器２６は各インバータ部１８の出力の有無若しくは、制御変換部１４から指定されたインバータ電力が出力されているか否かを検知する。故障診断器２６の信号Ｓｔｂは、制御変換部１４に返される。
【００２９】
また、各インバータ部１８は、商用電力をそのまま出力するためのバイパスライン２１を有する。商用電力をコンバータ回路２０に流すか、バイパスライン２１に流すかを選択する切換スイッチ２３は、制御変換部１４からの信号Ｃｓｗで切り替えられる。インバータ部１８の出力に不具合があった場合は、送風機７０をＯＮ／ＯＦＦ制御で運転するためである。
【００３０】
ここで再度制御変換部１４の説明に戻る。制御変換部１４は、インバータ駆動部１６の各インバータ部１８に備えられた故障診断器２６からの信号Ｓｔｂを受信する。故障診断器２６が信号Ｓｔｂを出力するということは、そのインバータ部１８に何らかの不具合が生じ、制御変換部１４が指示したインバータ電力を出力できないことを意味する。そのような場合は、制御変換部１４は、代替制御を行う。代替制御とは、予め用意した制御変換テーブル３０が実行できない場合に、行う制御である。例えば、予定されたインバータ電力を送信できない送風機７０に対しては、インバータ部１８のバイパスライン２１を使って、商用電力をそのまま送信することが考えられる。
【００３１】
また、他の方法としては、その送風機７０が無いものとして予め用意された、補助制御変換テーブル３２に従うということが考えられる。補助制御変換テーブル３２は、予め故障のパターンを予測して用意しておく変換規則である。また、全てのインバータ部１８に対してバイパスライン２１を使用するようにさせてもよい。
【００３２】
以上の構成を有する付加送風制御装置１０の動作について説明する。畜舎９０内の環境は温度計８２によって計測され、主制御装置８０に送られる。主制御装置８０は、この鶏舎９０内の温度に基づいて、用意された送風機７０のどれを運転するかを選択する。この選択には、温度と、使用する送風機７０が記載されたテーブルによって行われる。主制御装置８０は、駆動する送風機７０に対してスイッチＯＮを意味する選択信号Ｃｓを送信する。
【００３３】
付加送風制御装置１０は、この選択信号Ｃｓを受信部１２で受信する。受信部１２は制御変換部１４に、この選択信号Ｃｓを送る。なお、受信部１２は、選択信号Ｃｓをそのまま制御変換部１４に送ってもよいし、どの送風機７０が選択されたかを意味する信号に変換して送ってもよい。いずれにしても、制御変換部１４は主制御装置８０の選択信号Ｃｓに基づいて変換された制御信号Ｃｍｓを生成する。
【００３４】
付加送風制御装置１０は、選択信号Ｃｓを制御変換テーブル３０に照らし合わせ、変換された制御信号Ｃｍｓを生成する。図３には、主制御装置８０の制御テーブルの一例を示す。また、図５にこの時の送風機７０の配置位置を示す。図５を参照して、ここでは、短側壁９３ａに設けられた送風機７０は１０基あるとする。また送風機７０が設けられた短側壁９３ａに対向する側の短側壁９３ｂに近い長側壁９２ａ、９２ｂに１基ずつの送風機７０が備えられているとする。つまり、送風機７０は全部で１２基である。それぞれの送風機７０は符号７０１から７１２で示す。
【００３５】
主制御装置８０は、鶏舎９０内の温度に基づいて、どの送風機７０を駆動するかを選択する。図３を参照して、主制御装置８０はＥ１からＥ４、Ｔ１からＴ１０までの１４の運転モードが用意されているとする。縦軸には、使用される送風機７０の番号（７０１〜７１２）が記載されている。各運転モードから縦に表を見て、ＯＮ（図３中では白丸で表した）と表示されている部分の送風機７０が使用される送風機７０である。たとえば、Ｔ４の運転モード（矢印で示した。）においては、送風機７０１から送風機７０５までの５基の送風機７０が使用される。つまり、主制御装置８０は、この５基の送風機７０がＯＮとなる信号（選択信号Ｃｓ）を送信する。なお、図３中で送風機７０がＯＦＦであるのは、黒丸で表した。
【００３６】
この選択信号Ｃｓを受けた付加送風制御装置１０は、図４の制御変換テーブル３０を参照する。図４では、縦軸には送風機７０を表し、横軸は運転モードを表す。各運転モードで送風機７０が運転される場合は白丸で表し、停止される場合は黒丸で表す。また、白丸で表した部分には、数字が記載されている。この数字は送風機７０の定格運転に対する運転比率（百分率）を表す。なお、付加送風制御装置１０は図３の制御テーブルを有していてもよい。なお、図４おいて運転モードのＥ４とＴ９は参考例であり、図７において、運転モードのＥ４およびＴ５乃至Ｔ９は参考例である。
【００３７】
選択信号Ｃｓで、送風機７０１から７０５までの５基の送風機７０が選択されたことから、制御変換部１４は、主制御装置８０がＴ４の運転モードを選択したことが分かる。そして、制御変換テーブル３０を参照すると、運転モードＴ４（矢印を示した。）は、送風機７０１から７０４と、送風機７０７、７０８の計６基の送風機７０を８０％の回転数で運転するように変換される。
【００３８】
したがって、制御変換部１４は、送風機７０１、７０２、７０３、７０４、７０７、７０８の６基の送風機７０に、それぞれ８０％の回転数で運転するようなインバータ電力を送信するように、インバータ駆動部１６に指示する。この指示信号は変換された制御信号Ｃｍｓである。より具体的には、指定された送風機７０の演算回路２４に、定格の８０％の出力になる周波数を指示する。
【００３９】
演算回路２４は、指示された周波数で、インバータ回路２２を駆動させる。商用電力は、コンバータ回路２０で一度直流電力に変換され、その後インバータ回路２２で所定の周波数のインバータ電力に変換する。
【００４０】
インバータ駆動部１６には、送風機７０の数に対応する１２個のインバータ部１８が用意されている。それぞれのインバータ部１８は、１２基の送風機（７０１から７１２）それぞれに接続されており、個々の送風機７０にインバータ電力を送信できる。制御変換部１４から上記の変換された制御信号Ｃｍｓを受けたインバータ駆動部１６は、指定された送風機７０に対して８０％の回転数で運転するようなインバータ電力を送信する。
【００４１】
図６には、主制御装置８０が指示した５基の送風機（７０１から７０５）によって作り出される送風状態（図６（ａ））と、付加送風制御装置１０によって６基の送風機（７０１から７０４、７０７、７０８）が８０％の回転数の運転をした時の送風状態（図６（ｂ））を比較したシミュレーション図である。送風機７０が配置された短辺は矢印で示した。また鶏舎９０中の矢印の大きさは風速を示し、矢印の方向は風向きを示す。
【００４２】
図６（ａ）を参照して、５基の送風機７０を１００％で運転すると、送風機７０の近辺（符号Ａ）の地点と、そこから少し離れた地点（符号Ｂ）とでは、矢印の長さが異なる。明らかに送風機７０から離れた地点（符号Ｂ）の方が、風速が遅い。また、符号Ｂの地点よりさらに送風機７０から遠い符号Ｃの地点では、さらに風速が低下している。
【００４３】
一方、図６（ｂ）を参照して、６基の送風機７０を８０％で運転した場合は、符号Ａの地点も符号Ｂの地点もほとんど同じ風速である。また、図６は、等風速線も記入している。図６（ａ）では、符号Ｃの地点で風速が明らかに低下しているが、図６（ｂ）では、鶏舎９０全長に渡って、ほぼ均一な風速を得ていた。 
【００４４】
このように均一な送風状態は、鶏舎９０内に温度の高低箇所が偏在することを回避することができる。特に、出荷前の大雛は高温に弱く、温度の高低箇所の偏在があると、涼しい場所に集まり、却って周囲温度が上がる若しくは集まり過ぎて圧死する可能性が高くなる。したがって、高低箇所の偏在が抑制されるのは、畜舎特に鶏舎９０にとっては、重要な利点であるといえる。
【００４５】
次に故障診断器２６が働いた場合について説明する。すでに述べたように、各インバータ部１８は故障診断器２６を有している。これによって、指定されたインバータ電力を出力していないインバータ部１８があると、制御変換部１４はこれを知る。予定されたインバータ電力が出力されていないと、必要とされる風量が供給できないことになり、鶏舎９０内の環境に大きな影響が及ぶ。
【００４６】
そこで、制御変換部１４は、故障したインバータ部１８が駆動する送風機７０に変わる送風機７０を選択して駆動させる。これは、特に風量が少ない場合に有効な方法である。これには、補助制御変換テーブル３２が用意される。補助制御変換テーブル３２は、制御変換テーブル３０によって指定された送風機７０が故障した場合に、他の送風機７０を使用するパターンが記載された制御変換テーブルである。
【００４７】
例えば、図７には、図４の制御変換テーブル３０において、送風機７０７がない場合の制御変換テーブル（符号不要）が示されている。図７では、送風機７０７がない場合は、送風機７０９を変わりに使用する例を示す。具体的には、運転モードＴ１からＴ４で送風機７０７を使う際には、送風機７０９を使用する。図７中では、運転モードＴ１からＴ４の送風機７０７をバツ印で使用しない旨を示した。一方、運転モードＴ１からＴ４で送風機７０９を長丸で囲み、運転することを示した。
【００４８】
つまり、上記の例のように、運転モードＴ４の場合で、送風機７０７が故障になったと、制御変換部１４が故障信号Ｓｔｂを受けたら、送風機７０７が故障の場合の補助制御変換テーブル３２を読み出し、この変換された制御信号Ｃｍｓを生成する。
【００４９】
なお、付加送風制御装置１０は、主制御装置８０が指示した風量と同等の風量を供給することを基本としている。したがって、送風機７０７も７０９も運転が必要な場合は、代替案がない。図４では、運転モードＴ５からＴ９では、送風機７０７と送風機７０９を使用する。そのような場合は、制御変換部１４は、全ての選択信号Ｃｓをそのまま実行する。すなわち、主制御装置８０が指示した送風機７０を１００％運転させる。
【００５０】
これは、制御変換部１４が運転が指示された送風機７０に接続したインバータ部１８の切換スイッチ２３をバイパスライン２１に切換えるように制御することで、実現することができる。
【００５１】
図７を参照して、参考例の運転モードＴ５からＴ９では、図３で示した主制御装置８０の選択信号Ｃｓと同じ表示を示した（四角で囲んだ部分。）。このように、補助制御変換テーブル３２には、インバータ部１８の切換スイッチ２３の入り切りの情報を含めることができる。図７では、ある運転モードにおいて、定格に対する運転比率が表示されている場合は、切換スイッチ２３は、商用電力をコンバータ回路２０に送り、定格に対する運転比率が記載されていない場合は、切換スイッチ２３をバイパスライン２１に切換える。 
【００５２】
また、故障診断器２６が信号Ｓｔｂを制御変換部１４に送信した際に、１つでもインバータ部１８の故障が発見されたら、補助制御変換テーブル３２を用いず、主制御装置８０からの選択信号Ｃｓをそのまま実行するようにしてもよい。上記の例で説明すると、主制御装置８０が送風機７０１から７０５の５基の送風機７０の運転を指示する選択信号Ｃｓを送信した場合は、制御変換部１４は、送風機７０１から７０５に接続されたインバータ部１８の切換スイッチ２３をバイパスライン２１側に切換える。その他のインバータ部１８に対しては、出力を指示しない。このようにすることによって、主制御装置８０が指示したのと同じ送風機７０を１００％運転することができる。
【産業上の利用可能性】
【００５３】
本発明は特に鶏類を飼育する鶏舎に好適に利用することができるが、その他の牛舎、豚舎といった畜舎にも利用することができる。
【符号の説明】
【００５４】
１０  付加送風制御装置
１２  受信部
１４  制御変換部
１６  インバータ駆動部
１８  インバータ部
２０  コンバータ回路
２１  バイパスライン
２２  インバータ回路
２３  切換スイッチ
２４  演算回路
２６  故障診断器
３０  制御変換テーブル
３２  補助制御変換テーブル
７０  送風機
７２  跳ね戸
７４  インレット
８０  主制御装置
８１  通信線
８２  温度計
８４  差圧計
８５  電線
８６  スイッチャー
９０  鶏舎
９１  床面
９２  長側壁
９３  短側壁
９３ａ  短側壁
９３ｂ  短側壁
９４  屋根
Ｃｓ  選択信号
Ｃｍｓ  変換された制御信号
Ｓｔｂ  信号
Ｃｓｗ  信号
【図１】
0005919509.tif 000002
【図２】
0005919509.tif 000003
【図３】
0005919509.tif 000004
【図４】
0005919509.tif 000005
【図５】
0005919509.tif 000006
【図６】
0005919509.tif 000007
【図７】
0005919509.tif 000008